(57)【要約】【課題】ディスプレイ装置に現在表示中のオブジェクトがスクロール可能な状態であることをユーザーが容易に認知できるディスプレイ装置及びその制御方法を提供する。【解決手段】このディスプレイ装置は、ディスプレイ部と、ユーザーインターフェース画面をディスプレイ部に表示されるように処理する映像処理部と、第１のグループのオブジェクトを含んでいるユーザーインターフェース画面が表示され、画面スクロール開始命令が入力されると、複数のオブジェクトを含んでいるユーザーインターフェース画面が縮小表示され、画面スクロール指示命令が入力されると、第２のグループのオブジェクトを含んでいるユーザーインターフェース画面へと画面が変更表示されるように映像処理部を制御する制御部と、を備えている。【選択図】図５
2013143147.tif 000002
【特許請求の範囲】
【請求項１】
ディスプレイ装置において、
ディスプレイ部と、
ユーザーインターフェース画面を前記ディスプレイ部に表示されるように処理する映像処理部と、
第１のグループのオブジェクトを含んでいる前記ユーザーインターフェース画面が表示され、画面スクロール開始命令が入力されると、複数の前記オブジェクトを含んでいる前記ユーザーインターフェース画面が縮小表示され、画面スクロール指示命令が入力されると、第２のグループの前記オブジェクトを含んでいる前記ユーザーインターフェース画面へと画面が変更表示されるように前記映像処理部を制御する制御部と、
を備えることを特徴とする、ディスプレイ装置。
【請求項２】
前記制御部は、前記画面スクロール指示命令が入力されると、前記第１のグループの前記オブジェクトの一部と前記第２のグループの前記オブジェクトの一部を含んでいる前記ユーザーインターフェース画面を表示し、前記表示の後に、前記第２のグループの前記オブジェクトを含んでいる前記ユーザーインターフェース画面が表示されるように前記映像処理部を制御することを特徴とする、請求項１に記載のディスプレイ装置。
【請求項３】
前記第２のグループの前記オブジェクトを含んでいる前記ユーザーインターフェース画面は、前記第１のグループの前記オブジェクトを含んでいる前記ユーザーインターフェース画面が縮小した比率と同じ比率に縮小表示されることを特徴とする、請求項１又は２に記載のディスプレイ装置。
【請求項４】
前記画面スクロール指示命令の入力が終了すると、前記第２のグループの前記オブジェクトを含んでいる前記ユーザーインターフェース画面は、前記第１のグループの前記オブジェクトを含んでいる前記ユーザーインターフェース画面の元の大きさと同じ大きさに拡大表示されることを特徴とする、請求項３に記載のディスプレイ装置。
【請求項５】
前記画面スクロール指示命令の入力終了は、前記画面スクロール指示命令が入力されてから所定の時間の間にユーザー入力がない場合、前記オブジェクトのいずれか一つを選択する入力が行われた場合、画面スクロールを終了する入力が行われた場合のうち、少なくとも一つであることを特徴とする、請求項４に記載のディスプレイ装置。
【請求項６】
前記画面スクロール開始命令は、前記ユーザーインターフェース画面上で前記オブジェクトの表示されていない領域へのクリック動作を含み、
前記画面スクロール指示命令は、前記入力装置を介した方向指定情報を含むことを特徴とする、請求項１〜５のいずれか１項に記載のディスプレイ装置。
【請求項７】
前記映像処理部は、前記ユーザーインターフェース画面が前記ディスプレイ部の全体または一部の領域に表示されるようにし、
前記制御部は、前記ディスプレイ部の一部の領域に複数の前記ユーザーインターフェース画面がそれぞれ表示されている場合に、前記複数のユーザーインターフェース画面のそれぞれを個別的にスクロールさせることを特徴とする、請求項１〜６のいずれか１項に記載のディスプレイ装置。
【請求項８】
ディスプレイ装置の制御方法において、
複数のオブジェクトのうち第１のグループのオブジェクトを含んでいるユーザーインターフェース画面を表示する段階と、
画面スクロール開始命令が入力されると、前記ユーザーインターフェース画面を縮小表示する段階と、
画面スクロール指示命令が入力されると、前記複数のオブジェクトのうち、第２のグループのオブジェクトを含んでいる前記ユーザーインターフェース画面へと画面を変更表示する段階と、
を含むことを特徴とする、ディスプレイ装置の制御方法。
【請求項９】
前記画面スクロール開始命令が入力されると、前記ユーザーインターフェース画面を縮小表示する段階は、
前記第１のグループの前記オブジェクトの一部と前記第２のグループの前記オブジェクトの一部を含んでいる前記ユーザーインターフェース画面を表示し、前記表示の後に、前記第２のグループの前記オブジェクトを含んでいる前記ユーザーインターフェース画面を表示する段階を含むことを特徴とする、請求項８に記載のディスプレイ装置の制御方法。
【請求項１０】
前記第２のグループの前記オブジェクトを含んでいる前記ユーザーインターフェース画面は、前記第１のグループの前記オブジェクトを含んでいる前記ユーザーインターフェース画面が縮小した比率と同じ比率に縮小表示されることを特徴とする、請求項８又は９に記載のディスプレイ装置の制御方法。
【請求項１１】
前記画面スクロール指示命令の入力が終了すると、前記第２のグループの前記オブジェクトを含んでいる前記ユーザーインターフェース画面は、前記第１のグループの前記オブジェクトを含んでいる前記ユーザーインターフェース画面の元の大きさと同じ大きさに拡大表示されることを特徴とする、請求項１０に記載のディスプレイ装置の制御方法。
【請求項１２】
前記画面スクロール指示命令の入力終了は、前記画面スクロール指示命令が入力されてから所定の時間の間にユーザー入力がない場合、前記オブジェクトのうちいずれか一つを選択する入力が行われた場合、画面スクロールを終了する入力が行われた場合のうち、少なくとも一つであることを特徴とする、請求項１１に記載のディスプレイ装置の制御方法。
【請求項１３】
前記画面スクロール開始命令は、前記ユーザーインターフェース画面上で前記オブジェクトが表示されていない領域へのクリック動作を含み、
前記画面スクロール指示命令は、前記入力装置を介した方向指定情報を含むことを特徴とする、請求項８〜１２のいずれか１項に記載のディスプレイ装置の制御方法。
【発明の詳細な説明】
【技術分野】
【０００１】
本発明は、様々なオブジェクトの映像を表示するディスプレイ装置及びその制御方法に関し、特に、ユーザーの操作に対応してオブジェクト映像の表示方法を制御することができるディスプレイ装置及びその制御方法に関する。
【背景技術】
【０００２】
ディスプレイ装置は、外部の映像供給源から入力されたりまたは独自で保存している映像信号／映像データを処理して、ディスプレイ部上に映像で表示する装置である。一般のユーザーに提供されているディスプレイ装置の具体例にはＴＶまたはモニタなどがある。特に、ＴＶは、外部から入力される放送信号にチューニング、デコーディングなどの種々のプロセスを行うことで、ユーザー所望の放送チャンネルの映像を提供する。
【０００３】
ディスプレイ装置のディスプレイ部は、映像を表示可能な大きさ及び支援可能な解像度などの特性を有しており、このような特性から、所定のオブジェクト（ｏｂｊｅｃｔ）映像全体を一つの画面に表示できない場合もある。例えば、オブジェクトが複数のページ（ｐａｇｅ）を有し、それら複数のページのうち、一つのページの映像しかディスプレイ部に表示されていない場合がある。この場合、現在表示中のページ以外の残りページは、ディスプレイ部に現れておらず、隠されている状態になる。この場合、ディスプレイ装置は、オブジェクトをスクロール可能に構成されているため、現在表示されていないオブジェクトの残りページをスクロールして表示することができる。
【０００４】
例えば、ユーザーは、リモコンなどを用いてオブジェクトをスクロールし、ディスプレイ装置はこのスクロール操作に応じて、オブジェクトの現在表示されていない領域を順次にまたは段階的に表示する。
【発明の概要】
【発明が解決しようとする課題】
【０００５】
本発明は、ディスプレイ装置に現在表示中のオブジェクトがスクロール可能な状態であることをユーザーが容易に認知できるディスプレイ装置を提供する。
【課題を解決するための手段】
【０００６】
本発明の実施例に係るディスプレイ装置は、ディスプレイ部と、ユーザーインターフェース画面を前記ディスプレイ部に表示されるように処理する映像処理部と、第１のグループのオブジェクトを含んでいる前記ユーザーインターフェース画面が表示され、画面スクロール開始命令が入力されると、複数の前記オブジェクトを含んでいる前記ユーザーインターフェース画面が縮小表示され、画面スクロール指示命令が入力されると、第２のグループの前記オブジェクトを含んでいる前記ユーザーインターフェース画面へと画面が変更表示されるように前記映像処理部を制御する制御部と、を備えることを特徴とする。
【０００７】
ここで、前記制御部は、前記画面スクロール指示命令が入力されると、前記第１のグループの前記オブジェクトの一部と前記第２のグループの前記オブジェクトの一部を含んでいる前記ユーザーインターフェース画面を表示し、前記表示の後に、前記第２のグループの前記オブジェクトを含んでいる前記ユーザーインターフェース画面が表示されるように前記映像処理部を制御してもよい。
【０００８】
また、前記第２のグループの前記オブジェクトを含んでいる前記ユーザーインターフェース画面は、前記第１のグループの前記オブジェクトを含んでいる前記ユーザーインターフェース画面が縮小した比率と同じ比率に縮小表示されてもよい。
【０００９】
ここで、前記画面スクロール指示命令の入力が終了すると、前記第２のグループの前記オブジェクトを含んでいる前記ユーザーインターフェース画面は、前記第１のグループの前記オブジェクトを含んでいる前記ユーザーインターフェース画面の元の大きさと同じ大きさに拡大表示されてもよい。
【００１０】
ここで、前記画面スクロール指示命令の入力終了は、前記画面スクロール指示命令が入力されてから所定の時間の間にユーザー入力がない場合、前記オブジェクトのいずれか一つを選択する入力が行われた場合、画面スクロールを終了する入力が行われた場合のうち、少なくとも一つでよい。
【００１１】
また、前記画面スクロール開始命令は、前記ユーザーインターフェース画面上で前記オブジェクトの表示されていない領域へのクリック動作を含み、前記画面スクロール指示命令は、前記入力装置を介した方向指定情報を含むことができる。
【００１２】
前記映像処理部は、前記ユーザーインターフェース画面が前記ディスプレイ部の全体または一部の領域に表示されるようにし、前記制御部は、前記ディスプレイ部の一部の領域に複数の前記ユーザーインターフェース画面がそれぞれ表示されている場合に、前記複数のユーザーインターフェース画面のそれぞれを個別的にスクロールさせることができる。
【００１３】
また、本発明の実施例に係るディスプレイ装置の制御方法は、複数のオブジェクトのうち第１のグループのオブジェクトを含んでいるユーザーインターフェース画面を表示することと、画面スクロール開始命令が入力されると、前記ユーザーインターフェース画面を縮小表示することと、画面スクロール指示命令が入力されると、前記複数のオブジェクトのうち、第２のグループのオブジェクトを含んでいる前記ユーザーインターフェース画面へと画面を変更表示することと、を含むことを特徴とする。
【００１４】
前記画面スクロール開始命令が入力されると、前記ユーザーインターフェース画面を縮小表示することは、前記第１のグループの前記オブジェクトの一部と前記第２のグループの前記オブジェクトの一部を含んでいる前記ユーザーインターフェース画面を表示し、前記表示の後に、前記第２のグループの前記オブジェクトを含んでいる前記ユーザーインターフェース画面を表示することを含むことができる。
【００１５】
前記第２のグループの前記オブジェクトを含んでいる前記ユーザーインターフェース画面は、前記第１のグループの前記オブジェクトを含んでいる前記ユーザーインターフェース画面が縮小した比率と同じ比率に縮小表示されてもよい。
【００１６】
前記画面スクロール指示命令の入力が終了すると、前記第２のグループの前記オブジェクトを含んでいる前記ユーザーインターフェース画面は、前記第１のグループの前記オブジェクトを含んでいる前記ユーザーインターフェース画面の元の大きさと同じ大きさに拡大表示されてもよい。
【００１７】
前記画面スクロール指示命令の入力終了は、前記画面スクロール指示命令が入力されてから所定の時間の間にユーザー入力がない場合、前記オブジェクトのうちいずれか一つを選択する入力が行われた場合、画面スクロールを終了する入力が行われた場合のうち、少なくとも一つでよい。
【００１８】
前記画面スクロール開始命令は、前記ユーザーインターフェース画面上で前記オブジェクトが表示されていない領域へのクリック動作を含み、前記画面スクロール指示命令は、前記入力装置を介した方向指定情報を含むことができる。
【発明の効果】
【００１９】
本発明によれば、現在表示中のオブジェクトがスクロール可能状態であることをユーザーが容易に認知できるディスプレイ装置を提供することが可能になる。
【図面の簡単な説明】
【００２０】
【図１】本発明の実施例に係るディスプレイシステムを示す図である。
【図２】図１のディスプレイシステムにおけるディスプレイ装置の構成を示すブロック図である。
【図３】図２のディスプレイ装置においてディスプレイ部上に表示されるオブジェクトをスクロールする構造を示す図である。
【図４】図２のディスプレイ装置において初期状態のオブジェクト映像を示す図である。
【図５】図４の映像から既設定のイベントに対応して縮小表示されるオブジェクト映像を示す図である。
【図６】図５と異なる方法で縮小表示されるオブジェクトの映像を示す図である。
【図７】図２のディスプレイ装置の制御方法を示すフローチャートである。
【図８】本発明の他の実施例に係るディスプレイ装置において初期状態のユーザーインターフェース画面を示す図である。
【図９】図８の状態で縮小表示されたユーザーインターフェース画面の例示である。
【図１０】図９の状態でスクロールされるユーザーインターフェース画面の例示である。
【図１１】図１０の状態で元のサイズに復帰したユーザーインターフェース画面の例示である。
【発明を実施するための形態】
【００２１】
以下、添付の図面を参照して本発明について詳細に説明する。以下の実施例では、本発明の思想と直接的に関連している構成についてのみ説明し、それ以外の構成については説明を省略する。ただし、これら説明の省略された構成が、本発明の思想が適用された装置またはシステムを具現するにあたって不要であるということを意味するわけではない。
【００２２】
図１は、本発明の実施例に係るディスプレイシステムを示す図である。
【００２３】
図１に示すように、本実施例に係るディスプレイシステムは、映像信号を既に設定されたプロセスによって処理して映像で表示するディスプレイ装置１００と、ディスプレイ装置１００の動作を遠隔で制御可能なように、既に設定されたコマンド／データ／情報／信号を生成してディスプレイ装置１００に伝送する入力装置２００と、を備える。
【００２４】
本実施例では、ディスプレイ装置１００が、外部の映像供給源（図示せず）から入力されたりまたは独自で保存している映像信号／映像データ／映像情報に基づいて独自で映像を表示できるＴＶであり、入力装置２００はリモコン（ｒｅｍｏｔｅ  ｃｏｎｔｒｏｌｌｅｒ）であるシステムを取り上げる。
【００２５】
しかし、このような具体例に限定されず、本発明の思想は、例えば、ディスプレイ装置１００を、コンピュータ本体に接続されたモニタとし、入力装置２００を、当該コンピュータ本体と通信する装置としたシステムにも適用可能である。すなわち、以下に説明する実施例は、システムの具現方式によって様々に変更して適用可能な一例に過ぎず、本発明の思想を限定するものではない。
【００２６】
ディスプレイ装置１００が表示できる映像の種類に制限はなく、例えば、ディスプレイ装置１００は、動画、静止画、アプリケーション（ａｐｐｌｉｃａｔｉｏｎ）、ＯＳＤ（ｏｎ−ｓｃｒｅｅｎ  ｄｉｓｐｌａｙ）、様々な動作制御のためのＧＵＩ（ｇｒａｐｈｉｃ  ｕｓｅｒ  ｉｎｔｅｒｆａｃｅ）などの映像を表示することができる。
【００２７】
入力装置２００は、ディスプレイ装置１００と無線通信可能であり、ユーザーにより操作される外部装置である。入力装置２００は、ユーザーの操作に対応するように既に設定されたコマンドをディスプレイ装置１００に伝送する。ここで、入力装置２００は、ユーザーのタッチ動作を感知するタッチスクリーンまたはタッチパッド２１０を有している。
【００２８】
入力装置２００は、タッチパッド２１０へのユーザーのタッチ動作に対応して様々に既に設定されたコマンドを生成し、この生成されたコマンドをディスプレイ装置１００に伝送する。ディスプレイ装置１００は、入力装置２００から入力されるコマンドに対応する制御動作を行う。
【００２９】
以下、ディスプレイ装置１００の具体的な構成について、図２を参照して説明する。図２は、ディスプレイ装置１００の構成を示すブロック図である。
【００３０】
図２に示すように、ディスプレイ装置１００は、映像信号を受信する映像受信部１１０と、映像受信部１１０に受信された映像信号を処理する映像処理部１２０と、映像処理部１２０により処理された映像信号を映像で表示するディスプレイ部１３０と、入力装置２００と通信する通信部１４０と、ディスプレイ装置１００の動作全般を制御する制御部１５０と、を備える。
【００３１】
映像受信部１１０は、映像供給源（図示せず）から有線／無線で映像信号を受信して映像処理部１２０に伝達する。映像受信部１１０は、受信する映像信号の規格及びディスプレイ装置１００の具現方式に対応して様々な方式を有することができ、例えば、ＨＤＭＩ（ｈｉｇｈ  ｄｅｆｉｎｉｔｉｏｎ  ｍｕｌｔｉｍｅｄｉａ  ｉｎｔｅｒｆａｃｅ）規格に基づいてデジタル映像信号を受信してもよく、ストリーミングサーバー（図示せず）からの映像データパケットストリームを受信してもよい。
【００３２】
映像処理部１２０は、映像受信部１１０から受信した映像信号に、既に設定された様々な映像処理プロセスを行い、該プロセスの行われた映像信号をディスプレイ部１３０に出力することで、ディスプレイ部１３０に当該映像信号に基づく映像が表示されるようにする。
【００３３】
映像処理部１２０が行う映像処理プロセスの種類は限定されず、例えば、映像信号の映像フォーマットに対応するデコーディング、インターレース（ｉｎｔｅｒｌａｃｅ）方式の映像信号をプログレッシブ（ｐｒｏｇｒｅｓｓｉｖｅ）方式に変換するデインターレーシング（ｄｅ−ｉｎｔｅｒｌａｃｉｎｇ）、映像信号を既設定の解像度に調整するスケーリング（ｓｃａｌｉｎｇ）、映像画質改善のためのノイズ減少（ｎｏｉｓｅ  ｒｅｄｕｃｔｉｏｎ）、ディテール強化（ｄｅｔａｉｌ  ｅｎｈａｎｃｅｍｅｎｔ）、フレームリフレッシュレート（ｆｒａｍｅ  ｒｅｆｒｅｓｈ  ｒａｔｅ）変換などを挙げることができる。
【００３４】
映像処理部１２０は、種々の機能を統合したＳＯＣ（ｓｙｓｔｅｍ−ｏｎ−ｃｈｉｐ）、または上記のようなプロセスのそれぞれを独自で行える個別の構成が印刷回路基板上に装着されてなる映像処理ボード（図示せず）で具現される。
【００３５】
ディスプレイ部１３０は、映像処理部１２０から出力される映像信号に基づいて映像を表示する。ディスプレイ部１３０の具現方式は限定されず、液晶（ｌｉｑｕｉｄ  ｃｒｙｓｔａｌ）、プラズマ（ｐｌａｓｍａ）、発光ダイオード（ｌｉｇｈｔ−ｅｍｉｔｔｉｎｇ  ｄｉｏｄｅ）、有機発光ダイオード（ｏｒｇａｎｉｃ  ｌｉｇｈｔ−ｅｍｉｔｔｉｎｇ  ｄｉｏｄｅ）、面伝導型電子銃（ｓｕｒｆａｃｅ−ｃｏｎｄｕｃｔｉｏｎ  ｅｌｅｃｔｒｏｎ−ｅｍｉｔｔｅｒ）、炭素ナノチューブ（ｃａｒｂｏｎ  ｎａｎｏ−ｔｕｂｅ）、ナノクリスタル（ｎａｎｏ−ｃｒｙｓｔａｌ）などの様々なディスプレイ方式にすればよい。
【００３６】
ディスプレイ部１３０は、その具現方式によって異なる構成を備えることができる。例えば、ディスプレイ部１３０を液晶方式にした場合は、ディスプレイ部１３０は、液晶ディスプレイパネル（図示せず）と、これに光を供給するバックライトユニット（図示せず）と、パネル（図示せず）を駆動させるパネル駆動基板（図示せず）と、を備える。
【００３７】
通信部１４０は、入力装置２００から入力されるコマンド／データ／情報／信号を制御部１５０に伝達する。また、通信部１４０は、制御部１５０から伝達されたコマンド／データ／情報／信号を入力装置２００に伝送することができる。このように、通信部１４０は、ディスプレイ装置１００及び入力装置２００間の両方向通信を可能にし、そのために、ＲＦ（ｒａｄｉｏ  ｆｒｅｑｕｅｎｃｙ）、ジグビー（ＺｉｇＢｅｅ）、ブルトゥースなどの無線通信プロトコルに従う。
【００３８】
制御部１５０は、通信部１４０に受信されるコマンドに対応してディスプレイ装置１００の動作を制御する。例えば、制御部１５０は、通信部１４０を介して入力装置２００から既に設定されたコマンドが受信されると、このコマンドに対応して映像処理動作が行われるように映像処理部１２０を制御する。本実施例では、制御部１５０及び映像処理部１２０を別個の構成としたが、制御部１５０及び映像処理部１２０を一つの映像処理ボード（図示せず）で具現してもよい。
【００３９】
このような構造下で、映像処理部１２０により所定のオブジェクト３２０の映像がディスプレイ部１３０に表示される例について、図３を参照して説明する。図３は、ディスプレイ部１３０上に表示されるオブジェクト３２０をスクロール（ｓｃｒｏｌｌ）する構造を示す図である。
【００４０】
本実施例において、オブジェクト３２０は、映像で表示されるいかなる個体であってもよく、その種類に限定はない。例えば、オブジェクト３２０は、ウェブまたはＵＩページでよく、複数個のページに分割された構成であってもよく、一つのページが特定の方向にリニア（ｌｉｎｅａｒ）形態で延びた構成であってもよい。
【００４１】
図３に示すように、ディスプレイ領域３１０は、ディスプレイ部１３０上で映像が表示される領域のことを意味する。すなわち、ディスプレイ領域３１０には、オブジェクト３２０の全体領域のうちの第１の領域３２１が、現在、映像で表示されており、オブジェクト３２０の全体領域のうち、ディスプレイ領域３１０の外部に位置していると共に第１の領域３２１に隣接している第２の領域３２２は現在、映像で表示されていない。
【００４２】
もし、オブジェクト３２０の第２の領域３２２が映像で表示されるためには、第２の領域３２２がディスプレイ領域３１０内に移動する必要がある。現在表示されていない状態の第２の領域３２２が映像で表示されるようにオブジェクト３２０を移動させる動作をスクロール動作といい、オブジェクト３２０のこのような状態をスクロール可能状態という。
【００４３】
ユーザーが操作する入力装置２００からスクロール動作を指定するコマンドが通信部１４０に受信されると、制御部１５０は、映像処理部１２０を制御して、ディスプレイ領域３１０を基準に第２の領域３２２がディスプレイ領域３１０内に位置するようにオブジェクト３２０を移動させるスクロール動作を行う。
【００４４】
ここで、ディスプレイ領域３１０の横方向をＸ方向、縦方向をＹ方向とすると、本実施例に係るオブジェクト３２０は、Ｘ方向及びＹ方向のいずれか一方向の幅がディスプレイ領域３１０に対応する。同図のように、オブジェクト３２０の縦幅がディスプレイ領域３１０の縦幅に対応する一方、オブジェクト３２０の横幅はディスプレイ領域３１０の横幅よりも大きい場合に、オブジェクト３２０のスクロール移動はＸ方向に行われる。
【００４５】
オブジェクト３２０の横及び縦のいずれか一方向の幅がディスプレイ領域３１０に対応すると、オブジェクト３２０の横及び縦のいずれか他の方向がスクロール方向となる。これにより、ユーザーは、一方向にオブジェクト３２０のスクロール移動を指定することができる。
【００４６】
もし、オブジェクト３２０の横及び縦方向の両方の幅ともディスプレイ領域３１０に対応しないと、例えば、オブジェクト３２０の横及び縦方向の両方の幅ともディスプレイ領域３１０よりも大きいと、Ｘ方向及びＹ方向の両方がスクロール方向になり、ユーザーの操作上の不便を招くことがある。
【００４７】
その上、表示中のオブジェクト３２０の映像について、ユーザーは、オブジェクト３２０の内容によっては該オブジェクト３２０が現在スクロール可能状態にあるか否かが認知し難いこともある。
【００４８】
例えば、オブジェクト３２０が様々なアプリケーション／機能／設定などの実行のための複数のアイコンイメージを有しているとすると、ユーザーにとっては、現在表示中のオブジェクト３２０の映像内に全てのアイコンイメージが表示されているか否かが認知し難いことがある。すなわち、複数のアイコンイメージはオブジェクト３２０内に所定の間隔で配置されているので、ユーザーは、現在表示中の第１の領域３２１内におけるアイコンイメージのみを見ている状態で、他のアイコンイメージを含んでいる第２の領域３２２が存在するということを、第１の領域３２１のみを見ては認知し難い。
【００４９】
そこで、本実施例に係るディスプレイ装置１００では、下記の構成を適用する。
【００５０】
制御部１５０は、オブジェクト３２０がスクロール可能にオブジェクト３２０の全体領域のうち第１の領域３２１がディスプレイ部１３０に表示されている状態で、通信部１４０を介して既設定コマンドを受信すると、このコマンドに対応して、オブジェクト３２０の全体領域のうち、第１の領域３２１、及び第２の領域３２２の少なくとも一部が表示されるように、スクロール方向にオブジェクト３２０が縮小するように映像処理部１２０を制御する。
【００５１】
これにより、ユーザーは、現在表示中のオブジェクト３２０がスクロール可能状態にあるということが容易に認知できる。
【００５２】
なお、このとき、制御部１５０がスクロール方向にオブジェクト３２０を縮小させるから、ユーザーは、オブジェクト３２０をスクロールする方向も容易に認知することができる。
【００５３】
図３を参照すると、制御部１５０は、ディスプレイ領域３１０を基準にして、Ｘ方向にオブジェクト３２０を既設定の倍率で縮小させ、Ｙ方向にはオブジェクト３２０を縮小させない。ユーザーは、オブジェクト３２０がＸ方向に縮小するように表示されることから、オブジェクト３２０のスクロール方向がＸ方向であることを容易に認知することができる。
【００５４】
以下、本実施例によってスクロール可能状態のオブジェクト４００を縮小表示する例について、図４及び図５を参照して説明する。図４は、初期状態のオブジェクト４００の映像の例示であり、図５は、既設定のイベントに対応して縮小表示されるオブジェクト４００の映像の例示である。
【００５５】
図４及び図５で表現するオブジェクト４００は、複数のアイコンイメージ４１１，４２１をそれぞれ有する複数のページ４１０，４２０で構成されている。ただし、このオブジェクト４００の構成は、一実施例に過ぎないもので、本発明の思想を限定するものではない。したがって、オブジェクト４００の内容及び構成は様々に変更して適用することが可能である。
【００５６】
また、ディスプレイ部１３０上においてオブジェクト４００が表示される領域は、ディスプレイ部１３０全体のディスプレイ領域であってもよく、ディスプレイ部１３０上の一部のディスプレイ領域であってもよい。後者の場合は、複数のオブジェクトが共に表示されている状態で、それら複数のオブジェクトのうちのいずれかのオブジェクトに、本実施例で説明する構成を適用すればいい。
【００５７】
図４に示すように、映像処理部１２０は、オブジェクト４００の全体領域のうち、複数のアイコンイメージ４１１を含んでいるページ４１０の映像をディスプレイ部１３０に表示する。このページ４１０の映像は、スクロール方向の表示及びスクロール動作のための別途のスクロール用オブジェクト４１３を含むことができるが、ユーザーによっては当該オブジェクト４１３を認知できない場合もある。この場合、ユーザーは、現在表示中のオブジェクト４００がスクロール可能状態であるか否か、またはスクロール方向がＸ方向及びＹ方向のいずれの方向なのかを認知することが困難である。
【００５８】
そこで、ユーザーは、入力装置２００を操作して、既に設定されたコマンドが入力装置２００からディスプレイ装置１００に伝送されるようにする。入力装置２００がコマンドを生成する構成は様々であり、一例として、入力装置２００は、ユーザーが入力装置２００のタッチパッド２１０上の所定位置をタッチまたはタップ（ｔａｐ）してから既設定の時間の間にホールドしている状態に対応して特定コマンドを生成することができる。
【００５９】
または、入力装置２００は、複数のボタンのうちの特定ボタンを押圧した場合に対応して特定コマンドを生成することもできる。
【００６０】
図５に示すように、制御部１５０は、このようなコマンドが受信されると、受信コマンドに対応してオブジェクト４００全体に対する縮小を行う。この時、オブジェクト４００の縮小比率は受信コマンドに対応して決定することができ、例えば、ユーザーが入力装置２００のタッチパッド２１０をタッチしてからホールドしている持続時間に対応して、または、入力装置２００のボタンの加圧時間に対応して決定することができる。すなわち、制御部１５０は、コマンドが受信される持続時間に対応してオブジェクト４００を段階的に縮小させる。
【００６１】
このようなオブジェクト４００の縮小表示により、図４では見えなかったオブジェクト４００のページ４２０、及びこのページ４２０に含まれたアイコン４２１の一部が表示される。これで、ユーザーは、図４の映像がスクロール可能状態であったことを、図５の映像から認知できる。
【００６２】
ここで、オブジェクト４００の縮小はスクロール方向に行われる。オブジェクト４００がＸ方向にスクロール可能な場合であるとすると、制御部１５０は、Ｘ方向に直交するＹ方向のオブジェクト４００の幅は縮小させず、Ｘ方向のオブジェクト４００の幅を縮小させる。
【００６３】
オブジェクト４００の縮小によって、ページ４１０，４２０及びアイコン４１１，４２１のＸ方向幅が縮小する。初期状態（図４参照）でページ４１０内のアイコン４１１のイメージの幅をＷ１、Ｘ方向に隣接する２つのアイコン４１１のイメージ間の間隔をＤ１とすると、既に設定された縮小比率によって幅Ｗ１はＷ２に、間隔Ｄ１はＤ２にそれぞれ減少する。Ｗ１＞Ｗ２、及びＤ１＞Ｄ２であり、Ｗ１に対するＷ２の比率、及びＤ１に対するＤ２の比率は、上記の縮小比率に対応する。
【００６４】
ユーザーは、このようにページ４１０，４２０がＸ方向に縮小したことから、スクロール方向がＸ方向であることを容易に認知できる。そのため、ユーザーは、入力装置２００を介してＸ方向にスクロール移動するようにディスプレイ装置１００に指示することができる。例えば、ユーザーは、タッチパッド２１０上をタッチした指先をスクロール方向に移動させることによって、上記のスクロール移動コマンドが入力装置２００からディスプレイ装置１００に伝送されるように操作する。
【００６５】
一方、オブジェクト映像を縮小させる例示は図５の場合に限定されず、他の例示を、図６を参照して説明する。図６は、図５と異なる方法でオブジェクト映像を縮小表示する例である。
【００６６】
図６に示すように、初期状態（図４参照）でページ４１０内のアイコン４１１のイメージの幅をＷ１、Ｘ方向に隣接する２つのアイコン４１１のイメージ間の間隔をＤ１とすると、制御部１５０は、アイコン４１１のイメージの幅Ｗ１を変化させることなく、間隔Ｄ１をＤ３に縮小させる。
【００６７】
すなわち、オブジェクトが複数のサブオブジェクトを含む場合に、スクロール方向に、複数のサブオブジェクトの幅及び間隔を含むオブジェクト全体の幅を縮小させてもよく、複数のサブオブジェクト間の間隔のみを縮小させてもよい。
【００６８】
図５及び図６のように、オブジェクトが縮小表示された状態で、通信部１４０を介して入力装置２００から既設定の時間の間に入力がないか、または、既に設定された原状復帰コマンドが受信されると、制御部１５０は、オブジェクト４００を元の大きさにして表示する。
【００６９】
以下、本実施例に係るディスプレイ装置１００の制御方法について、図７を参照して説明する。図７は、この制御過程を示すフローチャートである。
【００７０】
図７に示すように、ディスプレイ装置１００は、オブジェクトの全体領域のうちの第１の領域をスクロール可能に表示する（Ｓ１００）。
【００７１】
ディスプレイ装置１００は、入力装置２００から既に設定されたコマンドを受信すると（Ｓ１１０）、スクロール方向にオブジェクトを縮小表示する（Ｓ１２０）。すなわち、ディスプレイ装置１００は、オブジェクトの横幅または縦幅のうち、スクロール方向と平行ないずれかの幅を縮小させて表示する。
【００７２】
ディスプレイ装置１００は、入力装置２００からスクロールコマンドを受信すると（Ｓ１３０）、縮小表示されたオブジェクトを、スクロールコマンドに含まれたスクロール方向にスクロール移動させて表示する（Ｓ１４０）。
【００７３】
このような方法により、ディスプレイ装置１００は、ユーザーがスクロール可能状態であるか否か、または、スクロール方向がどの方向であるかを容易に判断できるようにする。
【００７４】
以下、本発明の思想をより明確にするために、図８乃至図１２を参照して他の実施例について説明する。
【００７５】
図８は、本発明の他の実施例に係るディスプレイ装置１００において初期状態のユーザーインターフェース画面５００の例示であり、図９は、図８の状態が縮小表示されたユーザーインターフェース画面５００の例示であり、図１０は、図９の状態でスクロールされたユーザーインターフェース画面５００の例示であり、図１１は、図１０の状態で元のサイズに復帰したユーザーインターフェース画面５００の例示である。
【００７６】
図８に示すように、映像処理部１２０は、ディスプレイ部１３０上で、映像表示可能な領域である有効表示領域の全体または一部に、ユーザーインターフェース画面５００を表示することができる。本実施例では、映像処理部１２０は、ディスプレイ部１３０の有効表示領域を上下に分割して、下側の分割領域にユーザーインターフェース画面５００を表示している。
【００７７】
映像処理部１２０は、このような分割領域を３つ以上の個数にし、複数の分割領域のそれぞれに対して異なるユーザーインターフェース画面５００を表示することができる。また、制御部１５０は、各分割領域別のユーザーインターフェース画面５００について個別的／独立的にスクロールを行うこともできる。
【００７８】
本実施例に係るユーザーインターフェース画面５００は、アイテムまたはアイコンで具現可能な複数のオブジェクト５１１を含んでいる。このような複数のオブジェクト５１１は複数のグループにグループ化し、ユーザーインターフェース画面５００は、このような各グループのオブジェクト５１１を含む複数のページで構成される。
【００７９】
同図では、複数のオブジェクト５１１のうち、第１のグループのオブジェクト５１１を含んでいるページのユーザーインターフェース画面５００が表示されている。
【００８０】
この状態で、ユーザーは、入力装置２００を介して、既に設定された入力動作、例えば、ユーザーインターフェース画面５００上でオブジェクト５１１の表示されていない領域へのクリック動作を行うことがある。これにより、入力装置２００は、画面スクロールの開始命令をディスプレイ装置１００に伝送する。
【００８１】
図９に示すように、入力装置２００を介して画面スクロール開始命令が入力されると、制御部１５０は、ユーザーインターフェース画面５００を縮小表示する。制御部１５０は、ユーザーインターフェース画面５００を、図８の初期状態から上下左右に縮小させて表示してもよく、スクロール方向に左右にのみ縮小させて表示してもよい。
【００８２】
このようなユーザーインターフェース画面５００の縮小により、図８の初期状態で表示された、第１のグループのオブジェクト５１１を含んでいるページ５０１の他、図８の初期状態では表示されていなかったユーザーインターフェース画面５００の別のページ領域５０２，５０３も表示される。これにより、ユーザーは、ユーザーインターフェース画面５００がスクロール可能画面であること、及びスクロール可能方向が容易に判断可能になる。
【００８３】
このようにユーザーインターフェース画面５００が縮小表示された状態で、ユーザーは、入力装置２００を介して、既に設定された入力動作、例えば、方向キー（図示せず）のクリック、またはタッチパッド（図示せず）上のタッチ及びドラッグ動作を用いて所定の方向を指定する入力を行うことができる。これにより、入力装置２００は、方向指定情報を含む画面スクロール指示命令をディスプレイ装置１００に伝送する。
【００８４】
図１０に示すように、制御部１５０は、入力装置２００から画面スクロール指示命令を受信すると、受信した命令に対応する方向に、縮小表示された状態のユーザーインターフェース画面５００をスクロールさせる。
【００８５】
すなわち、スクロールにより、ユーザーインターフェース画面５００が含んでいる複数のオブジェクト５１１，５２１のうち、第１のグループのオブジェクト５１１の一部及び第１のグループと異なる第２のグループのオブジェクト５２１の一部を含んでいるユーザーインターフェース画面５００が表示され、以降、第２のグループのオブジェクト５２１を含んでいるユーザーインターフェース画面が表示される。
【００８６】
第２のグループのオブジェクト５２１を含んでいるユーザーインターフェース画面５００は、第１のグループのオブジェクト５１１を含んでいるユーザーインターフェース画面５００が縮小した比率と同じ比率に縮小表示される。
【００８７】
この状態で、制御部１５０は、画面スクロール指示命令の入力終了を判断することができる。画面スクロール指示命令の入力終了は、様々な形態で具現することができ、例えば、画面スクロール指示命令が入力されてから所定の時間の間に入力装置２００からのユーザー入力がない場合、オブジェクト５１１，５２１のいずれか一つを選択する入力が入力装置２００を介して行われた場合、画面スクロールを終了する入力が入力装置２００を介して行われた場合などとすることができる。
【００８８】
図１１に示すように、制御部１５０は、画面スクロール指示命令の入力が終了したと判断すると、第２のグループのオブジェクト５２１を含んでいるユーザーインターフェース画面５００を元の大きさに復帰させる。すなわち、制御部１５０は、第２のグループのオブジェクト５２１を含んでいるユーザーインターフェース画面５００を、上記の第１のグループのオブジェクト５１１を含んでいるユーザーインターフェース画面５００の元の大きさと同じ大きさに拡大して表示する。
【００８９】
以上の実施例は例示に過ぎず、当該技術の分野における通常の知識を有する者には、様々な変形及び均等な他の実施例が可能である。従って、本発明の真の技術的保護範囲は、添付の特許請求の範囲に記載された発明の技術的思想により定められるべきであろう。
【符号の説明】
【００９０】
１００    ディスプレイ装置
１１０    映像受信部
１２０    映像処理部
１３０    ディスプレイ部
１４０    通信部
１５０    制御部
２００    入力装置
【図１】
2013143147.tif 000003
【図２】
2013143147.tif 000004
【図３】
2013143147.tif 000005
【図４】
2013143147.tif 000006
【図５】
2013143147.tif 000007
【図６】
2013143147.tif 000008
【図７】
2013143147.tif 000009
【図８】
2013143147.tif 000010
【図９】
2013143147.tif 000011
【図１０】
2013143147.tif 000012
【図１１】
2013143147.tif 000013